(57)【要約】【課題】吹出口における左右風向板や上下風向板等の取付け構造を簡素化し、材料費、加工費などを抑え、左右風向板を大きくすることができるようにすること。【解決手段】空気調和機の室内機本体１の空気を吸い込む上部と吹出口７との間に熱交換器４と送風機５を設け、室内機本体の上部から吸い込まれた空気を熱交換器４を通過させて熱交換を行い、熱交換された空気を送風機５により風路６を経由させて吹出口７から外部に送り出すようにした空気調和機の室内機において、風路は送風機からの空気を吹出口に至る手前まで案内する風路部品本体８と、風路部品本体に取り付け自在で、風路部品本体に案内された空気を吹出口まで案内する風路先端部品９とで形成され、左右風向板１０と上下風向板１１と風路先端部品とが一体に構成されてなる風向偏向装置１２を取り付けるようにしたものである。【選択図】図１
2007163019.tif 000002
【特許請求の範囲】
【請求項１】
空気調和機の室内機本体の空気を吸込む上部と吹出口との間に熱交換機と送風機を設け、該室内機本体の上部から吸い込まれた空気を熱交換器により熱交換を行い、熱交換された空気を該送風機により風路を経由させて吹出口から外部に送り出すようにした空気調和機の室内機において、
前記風路は前記送風機からの空気を前記吹出口に至る手前まで案内する風路部品本体と、該風路部品本体に取り付け自在で、該風路部品本体に案内された空気を前記吹出口まで案内する風路先端部品とで形成され、
前記吹出口に、送風を左右に可変させる左右風向板と、送風を上下に可変させる上下風向板と、前記風路先端部品とが一体に構成されてなる風向偏向装置を取り付けるようにしたことを特徴とする空気調和機の室内機。
【請求項２】
前記風路部品本体に固定ツメ用穴を設け、前記風路先端部品の先端に固定ツメを有する偏向装置固定部材を設け、前記偏向装置固定部材の固定ツメを前記風路部品本体の固定ツメ用穴に係止固定するようにしたことを特徴とする請求項１記載の空気調和機の室内機。
【請求項３】
前記風路先端部品に取付ツメ成形用穴閉塞部材を設け、前記風路部品本体に設けられている取付ツメ成形用穴を前記取付ツメ成形用穴閉塞部材で塞ぐようにしたことを特徴とする請求項１記載の空気調和機の室内機。
【発明の詳細な説明】
【技術分野】
【０００１】
本発明は、空気調和機の室内機の風路構造に関するものである。
【背景技術】
【０００２】
従来の空気調和機の室内機は、筐体の下部前方に形成された吹出口に室内への送風を上下に調節する上下風向板が設けられ、その吹出口の下部には駆動部を有し、吹出口の下部を前向きに回動させる可動ディフューザが設けられ、この可動ディフューザには室内への送風を左右に調節する左右風向板が取り付けられて構成されている。
そして、冷房運転では上下に風向板がほぼ水平方向になるように回動され、一方、可動ディフューザ及び左右風向板は吹出口の後方位置に保持されて吹出口からの冷風を下降させることなく遠くまで送出させる。また、暖房運転では上下風向板をほぼ垂直方向に回動させて吹出口の前方を塞ぐ一方、可動ディフューザ及び左右風向板は吹出口の前方位置まで回動させて吹出口の前後間を広げると共に、左右風向板を吹出口に近づけ、室内への温風の流れを良くするようにしている（例えば特許文献１参照）。
【０００３】
【特許文献１】特開平８−２８９４８号公報（第２図）
【発明の開示】
【発明が解決しようとする課題】
【０００４】
かかる従来の空気調和機の室内機における吹出口構造は、風路先端である吹出口に駆動部によって回動させられる可動ディフューザを設ける必要があったため、風路先端の構造が複雑であり、部品点数の増加により材料費、加工費などが増加し、高価なものとなるという問題点があった。
また、空気通路の吹出口側に可動ディフューザの駆動部が設けられ、その分空気通路が狭くなること、吹出口の先端の狭い部分に設けられる可動ディフューザに左右風向板が設けられることにより、左右風向板を大きくすることができないために、左右への送風量に限界があるという問題点もあった。
【０００５】
本発明は、上記のような課題を解決するためになされたもので、第１の目的は吹出口における左右風向板や上下風向板等の取付け構造を簡素化し、材料費、加工費などを抑えることにあり、第２の目的は、左右風向板を大きくすることができるようにすることにある。
【課題を解決するための手段】
【０００６】
本発明に係る空気調和機の室内機は、空気調和機の室内機本体の空気を吸込む上部と吹出口との間に熱交換機と送風機を設け、該室内機本体の上部から吸い込まれた空気を熱交換器により熱交換を行い、熱交換された空気を該送風機により風路を経由させて吹出口から外部に送り出すようにした空気調和機の室内機において、前記風路は前記送風機からの空気を前記吹出口に至る手前まで案内する風路部品本体と、該風路部品本体に取り付け自在で、該風路部品本体に案内された空気を前記吹出口まで案内する風路先端部品とで形成され、前記吹出口に、送風を左右に可変させる左右風向板と、送風を上下に可変させる上下風向板と、前記風路先端部品とが一体に構成されてなる風向偏向装置を取り付けるようにしたものである。
【発明の効果】
【０００７】
以上説明したように本発明によれば、室内機本体内の熱交換器により熱交換された空気を送風機により吹出口から外部に送り出すようにした風路は、送風機からの空気を吹出口に至る手前まで案内する風路部品本体と、風路部品本体に取り付け自在で、風路部品本体に案内された空気を吹出口まで案内する風路先端部品とで形成され、吹出口に、送風を左右に可変させる左右風向板と、送風を上下に可変させる上下風向板と、風路先端部品とが一体に構成されてなる風向偏向装置を取り付けるようにしたので、可動ディフューザがなくなって可動ディフューザを可動させるための別部材が不要となり、取付け構造が簡素化され、材料費、加工費を抑えることができるという効果がある。
【０００８】
また、送風機から吹出口まで空気を案内する風路は、送風機からの空気を吹出口に至る手前まで案内する風路部品本体と、風路部品本体に取り付け自在で、風路部品本体に案内された空気を吹出口まで案内する風路先端部品とで形成されるようにしたので、風路部品本体の先端が後側に短くなるため、左右風向板を有する風向偏向装置を風路先端部品と共に風路部品本体に取付ける際に、左右風向板が風路部品本体の風路先端に干渉することが防止されると共に風向偏向装置の取付け軌跡に余裕ができるために左右風向板を大きくすることができ、左右風向板の送風量を大きくすることができるという効果もある。
【発明を実施するための最良の形態】
【０００９】
実施の形態１．
図１は本発明の実施の形態１に係る空気調和機の室内機の断面図、図２は同空気調和機の室内機の外観斜視図、図３は同空気調和機の室内機の風向偏向装置を正面から見た斜視図、図４は同空気調和機の室内機の風向偏向装置を背面から見た斜視図、図５は同空気調和機の室内機の風路部品本体に風向偏向装置を取付ける過程を示す断面図、図６は図５と同様の風向偏向装置を取付ける過程を示し、風路先端部品の偏向装置固定部材を示す断面図、図７は図５と同様の風向偏向装置を取付ける過程を示し、風路先端部品の取付ツメ整形用穴閉塞部材を示す断面図である。
【００１０】
図において、空気調和機の室内機本体１の前面側にパネル２が取り付けられ、室内機本体１の背面側に据付板３が取り付けられている。その据付板３の下部は室内機本体１の底部背面側に設けられた据付板取付ツメ１ａに係止されている。
室内機本体１の上部から吸い込まれた空気は熱交換器４を通過することで熱交換が行われる。その後、送風機５の回転により、風路部品本体８により形成された風路６を経由して、パネル２の下部に設けられた吹出口７から外部に送り出される。
その吹出口７には、室内への送風を左右に可変させる左右風向板１０と、室内への送風を上下に可変させる上下風向板１１と、風路部品本体８の先端側に取り付けられる風路先端部品９とからなる風向偏向装置１２が取り付けられる。
【００１１】
その風路部品本体８の先端側は、吹出口７に至る手前で下方に折り曲げられ、段部を有する垂直壁８ａが設けられて形成されている。
また、風路先端部品９は風路部品本体８の先端側の垂直壁８ａに取付けられるよう風路部品本体８とは別部品になっている。
その風路先端部品９は断面略くの字状に形成され、上側を風路形成部材９ａとし、下側をパネル係止部材９ｂとし、両部材９ａ、９ｂの中間に位置決め部材９ｃを設けている。
【００１２】
さらに、風路先端部品９には、図４に示すように、その長手方向における中央と両側の三箇所にそれぞれ、パネル係止部材９ｂと位置決め部材９Ｃとの間に先端に固定ツメ１４ａを有する偏向装置固定部材１４が設けられている。
そして、風路部品本体８の垂直壁８ａにおける偏向装置固定部材１４に対応する位置に、図６に示すように、偏向装置固定部材１４の固定ツメ１４ａが挿入係止される固定爪用穴８ｂが設けられている。
また、風路部品本体８の垂直壁８ａには、図７に示すように、その長手方向における両側の二箇所にそれぞれ、据付板取付ツメ整形用穴８ｃが設けられている。
そして、風路先端部品８のパネル係止部材２２の先端の据付板取付ツメ整形用穴８ｃに対応する位置に、その据付板取付ツメ整形用穴８ｃを塞ぐための取付ツメ整形用穴閉塞部材１５が突設されている。
【００１３】
次に、本発明の実施の形態１に係る空気調和機の室内機の吹出口への風向偏向装置の取り付け方について説明する。
まず、左右風向板１０及び上下風向板１１を構成する風向偏向装置１２に風路先端部品９を取付ける。
次に、風向偏向装置１２に取り付けられた風路先端部品９を風路部品本体８の先端側に取り付けることにより、吹出口７への左右風向板１０及び上下風向板１１と風路先端部品９とからなる風向偏向装置１２の取り付けが完了する。
【００１４】
風向偏向装置１２に取り付けられた風路先端部品９の風路部品本体８への取り付け方を詳細に説明すると、風路部品本体８の段部を有する垂直壁８ａとその垂直壁８ａの下部に取り付けられたパネル２の下部の折り曲げ部とで構成される取付空間に、風路先端部品９をそのパネル係止部材９ｂを先端風路形成部材９ａに近づけて挿入する。
そうすると、風路先端部品９の位置決め部材９ｃが垂直壁８ａの段部に位置決めされて当接し、風路先端部品９の先端風路形成部材９ａは風路部品本体８の先端部と面一となり、風路部品本体８の先端側に風路先端部品９が組み付けられることとなる。このとき、風路先端部品９のパネル係止部材９ｂはパネル２の下部の折り曲げ部に係止されることとなる。
【００１５】
このように、風路部品本体８の先端側は、吹出口７に至る手前で下方に折り曲げられ、段部を有する垂直壁８ａが設けられて形成され、その垂直壁８ａの位置に風路先端部品９が取り付けられて風路先端が構成されるようにしているので、風路部品本体８の先端が結果的に後側に短くなるため、左右風向板１０を有する風向偏向装置１２を風路先端部品９と共に風路部品本体８に取付ける際に、左右風向板１０が風路部品本体７の風路先端に干渉することが防止され、その干渉が防止される分だけ風向偏向装置１２の取付け軌跡に余裕ができるために左右風向板１０を大きくすることができ、左右風向板１０の送風量を大きくすることができる。
というのは、従来のように風路先端部品９が風路部品本体８と一体となって狭い吹出口の風路先端では左右風向板１０が風路先端に干渉して組立てることができず、左右風向板を大きくすることができなかったからである。
【００１６】
また、風向偏向装置１２を風路先端部品９と共に風路部品本体８に取付ける際に、風路先端部品９には先端に固定ツメ１４ａを有する偏向装置固定部材１４が設けられており、風路部品本体８の垂直壁８ａに偏向装置固定部材１６の固定ツメ１６ａが挿入係止される固定爪用穴８ｂが設けられているので、風路先端部品９の偏向装置固定部材１４の固定ツメ１４ａを風路部品本体８の垂直壁８ａの固定爪用穴８ｂに挿入係止させることにより、風向偏向装置１２と風路先端部品９とを風路部品本体８に確実に固定させることができる。
【００１７】
さらに、風向偏向装置１２を風路先端部品９と共に風路部品本体８に取付ける際に、風路部品本体８の垂直壁８ａには据付板取付ツメ整形用穴８ｃが設けられているが、風路先端部品９のパネル係止部材２２の先端にその据付板取付ツメ整形用穴８ｃを塞ぐための取付ツメ整形用穴閉塞部材１５が突設されているので、風路部品本体８の垂直壁８ａの据付板取付ツメ整形用穴８ｃに風路先端部品９のパネル係止部材２２の先端に突設された取付ツメ整形用穴閉塞部材１５を挿入し、風路部品本体８の据付板取付ツメ整形用穴８ｃを塞ぐことにより、風路部品本体８の裏側への空気の流れを止めることができ、風路部品本体８の裏面への着露を防止することができる。
なお、風路先端部品９に取付ツメ整形用穴閉塞部材１５が設けられていなければ、さらに別部品にて風路部品本体８の据付板取付ツメ形成用穴８ｃを塞がなくてはならない。
【００１８】
以上のように、本実施の形態１によれば、熱交換器４により熱交換された空気を送風機５により吹出口７から外部に送り出されるようにした風路６を、送風機５からの空気を吹出口に至る手前まで案内する風路部品本体８と、風路部品本体８に取り付け自在で、風路部品本体８に案内された空気を吹出口７まで案内する風路先端部品９とで形成し、吹出口７に、送風を左右に可変させる左右風向板１０と、送風を上下に可変させる上下風向板１１と、風路先端部品９とが一体に構成されてなる風向偏向装置１２を取り付けるようにしたので、可動ディフューザがなくなって可動ディフューザを可動させるための別部材が不要となり、取付け構造が簡素化され、材料費、加工費を抑えることができる。
【００１９】
また、送風機５から吹出口７まで空気を案内する風路６を、送風機５からの空気を吹出口７に至る手前まで案内する風路部品本体８と、風路部品本体８に取り付け自在で、風路部品本体８に案内された空気を吹出口７まで案内する風路先端部品９とで形成するようにしたので、風路部品本体８の先端が後側に短くなるため、左右風向板１０を有する風向偏向装置１２を風路先端部品９と共に風路部品本体８に取付ける際に、左右風向板１０が風路部品本体８の風路先端に干渉することが防止されると共に風向偏向装置１２の取付け軌跡に余裕ができるために左右風向板１０を大きくすることができ、左右風向板１０の送風量を大きくすることもできる。
【図面の簡単な説明】
【００２０】
【図１】本発明の実施の形態１に係る空気調和機の室内機の断面図。
【図２】同空気調和機の室内機の外観斜視図。
【図３】同空気調和機の室内機の風向偏向装置を正面から見た斜視図。
【図４】同空気調和機の室内機の風向偏向装置を背面から見た斜視図。
【図５】同空気調和機の室内機の風路部品本体に風向偏向装置を取付ける過程を示す断面図。
【図６】図５と同様の風向偏向装置を取付ける過程を示し、風路先端部品の偏向装置固定部材を示す断面図。
【図７】図７は図５と同様の風向偏向装置を取付ける過程を示し、風路先端部品の取付ツメ整形用穴閉塞部材を示す断面図。
【符号の説明】
【００２１】
１  室内機本体、２  パネル、３  据付板、４  熱交換器、５  送風機、６  風路、７  吹出口、８  風路部品本体、８ａ  垂直壁、８ｂ  固定ツメ用穴、８ｃ  据付板取付ツメ整形用穴、９  風路先端部品、９ａ  先端風路形成部材、９ｂ  パネル係止部材、９ｃ  位置決め部材、１０  左右風向板、１１  上下風向板、１２  風向偏向装置、１４  偏向装置固定部材、１４ａ  固定ツメ、１５  取付ツメ整形用穴閉塞部材。
【図１】
2007163019.tif 000003
【図２】
2007163019.tif 000004
【図３】
2007163019.tif 000005
【図４】
2007163019.tif 000006
【図５】
2007163019.tif 000007
【図６】
2007163019.tif 000008
【図７】
2007163019.tif 000009